(57)【要約】  フレームと、二つの独立した平行な脱毛ヘッド（５）とを含む脱毛器（１）であって、これらのヘッド（５）のそれぞれのための個々のサスペンション（３）を持つものにおいて、脱毛器（１）がさらに、ヘッド（５）のそれぞれのための個々の駆動システム（２）を含むことを特徴とする脱毛器（１）。【選択図】  図２
2015506240.tif 000002
【特許請求の範囲】
【請求項１】
フレームと、二つの独立した平行な脱毛ヘッド（５）とを含む脱毛器（１）であって、これらのヘッド（５）のそれぞれのための個々のサスペンション（３）を持つものにおいて、脱毛器（１）がさらに、ヘッド（５）のそれぞれのための個々の駆動システム（２）を含むことを特徴とする脱毛器（１）。
【請求項２】
脱毛ヘッド（５）が、毛抜き手段（７）を備えた平行軸を持つローラーの形のものであることを特徴とする請求項１に記載の脱毛器（１）。
【請求項３】
毛抜き手段（７）間の距離が二つの脱毛ヘッド（５）で異なることを特徴とする請求項１〜２のいずれか一つに記載の脱毛器（１）。
【請求項４】
ローラーの曲率が二つの脱毛ヘッド（５）で異なることを特徴とする請求項１〜３のいずれか一つに記載の脱毛器（１）。
【請求項５】
フレームが、二つの脱毛ヘッド（５）のそれぞれの回転の速度と方向を調整するための手段（６）を含むことを特徴とする請求項１〜４のいずれか一つに記載の脱毛器（１）。
【請求項６】
脱毛ヘッド（５）が、使用時にそれらの間の交代を可能にするために除去可能であることを特徴とする請求項１〜５のいずれか一つに記載の脱毛器（１）。
【請求項７】
個々のサスペンション手段（３）がばねを含むことを特徴とする請求項１〜６のいずれか一つに記載の脱毛器（１）。
【請求項８】
個々のサスペンション手段（３）が、ばねを調整するための個々の手段（４）を含むことを特徴とする請求項７に記載の脱毛器（１）。
【発明の詳細な説明】
【技術分野】
【０００１】
本発明は、フレームと二つの平行な脱毛ヘッドとを含む脱毛器に関する。ヘッドのそれぞれは、それ自身の駆動システム及びサスペンションを含む。
【背景技術】
【０００２】
機械的脱毛装置は、一般的に一つまたは二つの脱毛ヘッドからなる。脱毛ヘッドは、一般的に曲がった構成の予め緊張された弾性要素上に取り付けられかつ支持体上に回転可能に取り付けられた複数の隣接円盤を含む。隣接円盤は、スペーサーとヒンジ要素を含み、それらは、それらが脱毛毛抜きに変形するようにそれらが回転するときにこれらの円盤の傾きを起こす。回転運動に設定されたとき、隣接円盤は、一般的に対で傾きを開始し、発散する開口領域と収斂する圧縮領域を形成し、そこで幾つかの円盤は互いに対して押圧され、従って皮膚からの毛のつかみ及び除去のための毛抜きを形成する。
【０００３】
曲がった構成の二つの予め緊張された平行な円筒体から作られかつ支持体上に回転可能に取り付けられた二つのヘッドを含む脱毛器は、当業者に周知である。かかる脱毛器は、例えば文献ＥＰ１８３９５２２，ＦＲ２６９０８２０，ＵＳ２００５／０１８７５６３，ＵＳＤ６１１１９８，ＥＰ１８３９５２２，ＢＲ８６００５２４Ｕ，ＪＰ２００６／１７５０２６，ＥＰ１２６２１１７、及びＪＰ０９０５６４４６に示されている。
【０００４】
これらの文献に開示された脱毛器は、二つのヘッドのために共通である駆動システムを持ち、その駆動システムは、各ヘッドの独立操作を可能にしない共通の伝動装置を必要とする。
【０００５】
しかしながら、脱毛器の有効性は、両ヘッドが完全に独立態様で作動するときに改善されることができることが試験によって証明されている。独立して管理されることができる作動設定は、例えば二つのヘッドの回転の速度と方向、並びにそれらの配置またはサスペンションの柔軟性である。
【０００６】
従来技術は、独立駆動システム及びサスペンションのような上述の特徴の全てが単一装置内に組み合わされている、二つのヘッドを持つ脱毛器を全く含まない。従って、従来技術の脱毛ヘッドは独立して制御することが不可能である。
【発明の概要】
【発明が解決しようとする課題】
【０００７】
本発明は、使用時に、二つのヘッドのそれぞれに特定されている個々の駆動システム及びサスペンションによって完全に独立した態様で管理されることができる二つの平行ヘッドを持つ脱毛器を提供することを目的とする。
【課題を解決するための手段】
【０００８】
本発明は、フレームと、二つの独立した脱毛ヘッドを含む脱毛器であって、これらのヘッドのそれぞれのための個々の駆動システム及びサスペンションを持つものを開示する。
【０００９】
本発明の好適な実施態様は、次の特徴の少なくとも一つまたはそれらのいずれかの好適な組み合わせを含む：
−  脱毛ヘッドは、毛抜き手段を備えた平行軸を持つローラーの形のものである；
−  毛抜き手段間の距離は二つの脱毛ヘッドで異なる；
−  ローラーの曲率は二つの脱毛ヘッドで異なる；
−  フレームは、二つの脱毛ヘッドのそれぞれの回転の速度と方向を調整するための手段を含む；
−  脱毛ヘッドは、使用時にそれらの間の交代を可能にするために除去可能である；
−  個々のサスペンション手段はばねを含む；
−  個々のサスペンション手段は、ばねを調整するための個々の手段を含む。
【図面の簡単な説明】
【００１０】
【図１】図１は、従来技術による二重ヘッド脱毛器を示す。
【図２】図２は、個々の駆動システム及びサスペンションを持つ本発明による脱毛器を示す。
【図３】図３は、皮膚の上に付与されかつ皮膚の湾曲への適合の可能性を示す本発明による脱毛器を示す。
【図４】図４は、二つのヘッドの個々のサスペンションを持つ三次元図を示す。
【図５】図５は、本発明による脱毛器の他の機能の詳細な表現を示す。
【図６】図６は、本発明による脱毛器の他の機能の詳細な表現を示す。
【００１１】
参照記号表
１．  脱毛器
２．  各個々のヘッドのためのモーター／駆動システム
３．  各個々のヘッドのためのばねサスペンション
４．  サスペンションを形成するばねを調整するための手段
５．  脱毛ヘッド
６．  各個々のヘッドの回転の方向と速度を調整するための手段
７．  毛抜き手段
【発明を実施するための形態】
【００１２】
毛の除去は、使用者による脱毛器の性能評価が極めて主観的であるので複雑な問題である。ある使用者は効率を好むだろうし、他の者は皮膚にあまり刺激的でない脱毛器をむしろ好むだろう。さらに、脱毛器を評価することはまた、使用者の皮膚のタイプ、及び体毛成長の強さに依存する。従って、「最良の脱毛器」を作ることを可能にするであろういかなる実際に定量化できる機械的パラメーターは存在しない。
【００１３】
本明細書では、脱毛ヘッドは、一般的に円筒状形状を持ちかつ毛抜き手段を備えたローラーとして規定される。
【００１４】
本発明による脱毛器１は、各ヘッド５のために、回転の速度と方向を調整するための調整手段６を持つ。速度の断続的な変化でさえもこのタイプの脱毛器で考えられることができる。それはまた、例えば毛抜き手段７の相補的な曲率及び刃のタイプまたは相補的な態様の円盤間の距離を選択することによって脱毛器機構自体をカスタマイズすることを可能にする一組の交換可能なヘッドを持つ。
【００１５】
回転の速度と方向の独立した管理は、二つの脱毛ヘッド５を例えば、各ヘッド５に設けられた脱毛円盤の輪郭及び／または間隔を整えることによって相補的な態様で使用することを可能にする。各ヘッドの直径及び曲率はまた、相補的な態様で作動するように適合されることができる。
【００１６】
本発明による脱毛器による試験は、使用者が二つのヘッドの回転の方向と速度を互いに独立して選択することができるとすれば、使用者はこれまで未知であった操作設定を調整する際の柔軟性の恩恵を受けることを示した。かかる設定の独立性は、各使用者がそれらの設定に最良に適合する操作モードを選択することを可能にし、それらは、主として、使用者の皮膚のタイプ、体毛成長の強さ、毛除去のための体の面積、及び痛みに対する敏感さに依存するだろう。
【００１７】
本発明による脱毛器１は、互いに隣り合って配置された二つの完全に独立した脱毛器として機能することができ、一つの脱毛ヘッドのために決定された条件と設定の選択は、他のヘッドのために決定された条件と設定の選択を全く妨げない。従って、個々の毛抜き手段７、ヘッドのそれぞれのための材料、直径及び配置を自由に選択することができ、それは二つのヘッド間の最適な相補度または相乗効果を確立する可能性を与える。従って、これらのパラメーターは、各使用者の要求に適合するように適切に合わせることができる。
【００１８】
加えて、二つのヘッドの配置は、二つの円筒体のための独立した柔軟なサスペンションシステムによって直接制御される。このサスペンションシステムは、調整可能であるような（図２参照）態様で構成されることができ、それは、各車輪が個々のダンパーを備えている車とかなり似て、皮膚の全ての起伏を良好に吸収することを可能にする。
【図１】
2015506240.tif 000003
【図３】
2015506240.tif 000004
【図４】
2015506240.tif 000005
【図５】
2015506240.tif 000006
【図６】
2015506240.tif 000007
【図２】
2015506240.tif 000008
【国際調査報告】
2015506240.tif 000009
2015506240.tif 000010
2015506240.tif 000011
2015506240.tif 000012
2015506240.tif 000013
2015506240.tif 000014